(57)【要約】【課題】携帯電話機で使用されるマイクが装着してあるマイクコネクタの高さ寸法を低くするように構造的に改良を加えて、携帯電話機全体の薄型化及び軽量化を図った携帯電話機及び携帯電話機用コネクタを提供する。【解決手段】音声を入力する音声入力部を備えた上ケースと、外部機器と接続するインターフェースコネクタを備えると共に、第１及び第２のコンタクトを備えたマイクを収納できるようにすると共にこの収納したマイクの第１及び第２のコンタクトと電気的に接続する第１及び第２の接点を備えたマイクコネクタを上ケースの音声入力部に対向させた位置に配置してなるメインボードと、下ケースと、からなり、マイクコネクタは、マイクを収納するマイク収納部から外方向に突出させて形成した第１及び第２の接続端子を備え、このマイクコネクタをメインボードを形成する基板を切欠いたマイクコネクタ係合部に係合させ且つこの第１及び第２の接続端子をメインボードに設けた第１及び第２のマイクコネクタ接点に電気的に接続するようにする。【選択図】　　　図１
2004032081.tif 000002
【特許請求の範囲】
【請求項１】
音声を入力する音声入力部を備えた上ケースと、
外部機器と接続するインターフェースコネクタを備えると共に、第１及び第２のコンタクトを備えたマイクを収納できるようにすると共に該収納したマイクの第１及び第２のコンタクトと電気的に接続する第１及び第２の接点を備えたマイクコネクタを前記上ケースの音声入力部に対向させた位置に配置してなるメインボードと、
下ケースと、からなり、
前記マイクコネクタは、前記マイクを収納するマイク収納部から外方向に突出させて形成した第１及び第２の接続端子を備え、該マイクコネクタを前記メインボードを形成する基板を切欠いたマイクコネクタ係合部に係合させ且つ該第１及び第２の接続端子を前記メインボードに設けた第１及び第２のマイクコネクタ接点に電気的に接続するようにしたことを特徴とする携帯電話機。
【請求項２】
前記マイクコネクタの第１及び第２の接続端子と、メインボードの第１及び第２のマイクコネクタ接点との接続は、前記下ケースにメインボードを載せ、その上から上ケースを組み立てるときに、該上ケースで前記マイクコネクタ自体を押圧するようにして前記第１及び第２の接続端子に押圧力を持たせて、前記第１及び第２のマイクコネクタ接点に接続するようにしたことを特徴とする請求項１に記載の携帯電話機。
【請求項３】
筐体内に配設されているプリント配線基板の切欠部に配置され、マイクを包囲し収容する収容室が形成された弾性ハウジングと、
該弾性ハウジングの収容室の底部部分に一体成形により固定され、前記収容室内に臨む第１及び第２の接点と、該第１及び第２の接点と直線状に連設形成し、前記収容室の外方向に延設して突出させた第１及び第２の接続端子とを備え、
前記第１及び第２の接続端子は前記プリント配線基板に設けた第１及び第２のターミナルに電気的に接続することを特徴とする携帯電話機用コネクタ。
【発明の詳細な説明】
【０００１】
【発明の属する技術分野】
本発明は、携帯電話機及び携帯電話機用コネクタに関し、詳しくは携帯電話機に取り付けられているマイクを支持するマイクコネクタの取り付け位置及びマイクコネクタを改良して携帯電話機の高さ方向に嵩む高さを低くするように改良を加え且つ重量の軽量化を図った携帯電話機及び携帯電話機用コネクタに関する。
【０００２】
【従来の技術】
従来技術における携帯電話機は、図１６及び図１７に示すように、細長い筐体で形成されている上ケース１１１と、電話に関連する制御を行うメインボード１１２と、内部にバッテリー部１１３及び液晶表示部１１４を備えると共に上ケース１１１に係合する大きさに形成されている下ケース１１５と、マイク１１６を装着したマイクコネクタ１１７とから構成されている。
【０００３】
上ケース１１１には、手で持った下部位置に音声を通過させるホール１１８を備えた音声入力部１１９と、この音声入力部１１９の背面側にマイクコネクタ１１７を係合すると共に位置決めも兼ねた突状の２割円筒に形成されたマイクコネクタ位置決め係合部１２０と、操作部１２１と、上部位置に液晶表示部１１４で表示されている映像が見える表示パネル１２２とからなる。
【０００４】
メインボード１１２は、細長く形成した基板であって、その下側端部には、外部機器と接続するインターフェースコネクタ１２３を備えると共に、そのインターフェースコネクタ１２３を取り付けた端部中央位置にマイクコネクタ１１７の端子と接続する第１及び第２のマイクコネクタ接点１２４ａ、１２４ｂを設けた構成になっている。
【０００５】
このような構成において、下ケース１１５にメインボード１１２を組み込み、その上部から第１及び第２のマイクコネクタ接点１２４ａ、１２４ｂにマイクコネクタ１１７を載せ、その上部から上ケース１１１のマイクコネクタ位置決め係合部１２０にマイクコネクタ１１７を係合させながら上ケース１１１を被せて組立ては完成する。
【０００６】
マイクコネクタ１１７は、図１８〜図２１に示すように、熱可塑性ゴムで形成された上部開口であって有底円筒形状に形成され、円筒形状のマイク１１９を収納できる大きさに形成されたマイク収納部１２５と、外側外周の上部位置に外側方向に突出するように形成した三重のコネクタ支持襞部１２６とからなる。
【０００７】
このマイク収納部１２５の底部には、マイク１１６及び外部の接点と電気的に接続するコンタクトを埋設した構造になっており、このコンタクトは、マイク収納部１２５の底部中央位置に上部に突出して形成した第１の接点１２７ａと、この第１の接点１２７ａから外れた円周位置に設けた第２の接点１２７ｂとを備えた構成になっている。
【０００８】
そして、マイクコネクタ１１７の外側の底部１２８には、略中心位置にメインボード１１２の第１のマイクコネクタ接点１２４ａと電気的に接続する第１の接続端子１２９ａと、この第１の接続端子１２９ａを中心にして外側の円周位置にメインボード１１２の第２のマイクコネクタ接点１２４ｂと電気的に接続する第２の接続端子１２９ｂとを備えた構成になっている。
この第１の接点１２７ａと第１の接続端子１２９ａは、図２２及び図２３に示すように、１本の導電性金属ワイヤを略コ字型形状に折り曲げて形成されたものであり、マイク収納部１２５の底部に設けた第１の接点１２７ａは、略中央位置に円弧状に形成した頂点を突出させた構造にし、第１の接続端子１２９ａは、この第１の接点１２７ａに連設し、下部方向にコ字型形状に折り曲げてマイクコネクタ１１７本体の底部の略中央位置から外側方向に円弧状に形成した頂点を突出させた構造になっている。
【０００９】
第２の接点１２７ｂと第２の接続端子１２９ｂは、図２２及び図２３に示すように、第１の接点１２７ａと第１の接続端子１２９ａと同じく、１本の導電性金属ワイヤを略コ字型形状に折り曲げて形成されたものであり、マイク収納部１２５の底部の略中心位置に設けた第１の接点１２７ａに対して、外れた円周位置に円弧状に形成した頂点を突出させた構造にし、第２の接続端子１２９ｂは、この第２の接点１２７ｂに連設し、下部方向にコ字型形状に折り曲げてマイクコネクタ１１７本体の底部の略中央位置から外れた円周位置に外側方向に円弧状に形成した頂点を突出させた構造になっている。
【００１０】
このような構成からなるマイクコネクタ１１７を取り付けるには、図２２及び図２３に示すように、先ず、マイクコネクタ１１７のマイク収納部１２５にマイク１１７を装着すると、マイク１１７のコンタンクが第１及び第２の接点１２７ａ、１２７ｂに接続する。このマイク収納部１２５の内側壁面はゴムで作成されているため、マイク１１６の側壁面を充分な摩擦係数を持って係合するため簡単には離脱しない構成になっている。
【００１１】
そして、マイク１１６を装着したマイクコネクタ１１７をメインボード１１２の第１及び第２のマイクコネクタ接点１２４ａ、１２４ｂにマイクコネクタ１１７の第１及び第２の接続端子１２９ａ、１２９ｂが接続するようにして載せる。或いは、上ケース１１１のマイクコネクタ位置決め係合部１２０にマイクコネクタ１１７を係合させる。このときマイクコネクタ位置決め係合部１２０に係合するためのマイクコネクタ１１７のコネクタ支持襞部１２６は三重の襞形状になっているから、この襞がマイクコネクタ位置決め係合部１２０の内側側壁面に座屈して充分な摩擦係数を持って係合される。
この状態で、上ケース１１１を被せると、上ケース１１がマイクコネクタ１１７を上部から押圧することになり、第１及び第２の接続端子１２９ａ、１２９ｂに押圧力が働き、メインボード１１２の第１及び第２のマイクコネクタ接点１２４ａ、１２４ｂと押圧された状態で電気的な接続がなされ、マイクコネクタ１１７の組立ては完了する。
【００１２】
【発明が解決しようとする課題】
しかしながら、従来技術で説明したマイクコネクタは、マイクのコンタクトと接続する第１及び第２の接点及び第１及び第２の接続端子の構造がマイクコネクタの下部位置においてコ字型形状に形成されているため、そのぶん嵩張り、高さを低くできないという問題がある。
従って、マイクを収納するマイクコネクタの高さが低くできるような構造にすることによりより薄型が図ることができる携帯電話機及び携帯電話機用コネクタに解決しなければならない課題を有する。
【００１３】
【課題を解決するための手段】
上記課題を解決するために、本発明に係る携帯電話機及び携帯電話機用コネクタは、次に示す構成にすることである。
【００１４】
（１）携帯電話機は、音声を入力する音声入力部を備えた上ケースと、外部機器と接続するインターフェースコネクタを備えると共に、第１及び第２のコンタクトを備えたマイクを収納できるようにすると共に該収納したマイクの第１及び第２のコンタクトと電気的に接続する第１及び第２の接点を備えたマイクコネクタを前記上ケースの音声入力部に対向させた位置に配置してなるメインボードと、下ケースと、からなり、前記マイクコネクタは、前記マイクを収納するマイク収納部から外方向に突出させて形成した第１及び第２の接続端子を備え、該マイクコネクタを前記メインボードを形成する基板を切欠いたマイクコネクタ係合部に係合させ且つ該第１及び第２の接続端子を前記メインボードに設けた第１及び第２のマイクコネクタ接点に電気的に接続するようにしたことである。
又、前記マイクコネクタの第１及び第２の接続端子と、メインボードの第１及び第２のマイクコネクタ接点との接続は、前記下ケースにメインボードを載せ、その上から上ケースを組み立てるときに、該上ケースで前記マイクコネクタ自体を押圧するようにして前記第１及び第２の接続端子に押圧力を持たせて、前記第１及び第２のマイクコネクタ接点に接続するようにしたことを特徴とする（１）に記載の携帯電話機である。
又、携帯電話機用コネクタは、筐体内に配設されているプリント配線基板の切欠部に配置され、マイクを包囲し収容する収容室が形成された弾性ハウジングと、該弾性ハウジングの収容室の底部部分に一体成形により固定され、前記収容室内に臨む第１及び第２の接点と、該第１及び第２の接点と直線状に連設形成し、前記収容室の外方向に延設して突出させた第１及び第２の接続端子とを備え、前記第１及び第２の接続端子は前記プリント配線基板に設けた第１及び第２のターミナルに電気的に接続することである。
【００１５】
このように、マイクコネクタのマイクと接続する端子を略直線状に形成したことにより、そのぶん薄型化が図れ、携帯電話機自体の薄型化を図ることが可能になる。
【００１６】
【発明の実施の形態】
次に、本発明に係る携帯電話機及び携帯電話機用コネクタの実施形態について、図面を参照して説明する。
【００１７】
本発明に係る携帯電話機用コネクタを備えてなる携帯電話機は、図１及び図２に示すように、細長い筐体で形成されている上ケース１１と、電話に関連する制御を行うメインボード１２と、内部にバッテリー部１３及び液晶表示部１４を備えると共に上ケース１１に係合する大きさに形成されている下ケース１５と、マイク１６を包囲して収容する収容室が形成されている弾性ハウジング１７Ａからなるマイクコネクタ１７とから構成されている。
【００１８】
上ケース１１には、手で持った下部位置に音声を通過させるホール１８を備えた音声入力部１９と、操作部２０と、上部位置に液晶表示部１４で表示されている映像が見える表示パネル２０Ａとからなる。
【００１９】
メインボード１２は、細長く形成した基板であって、その下側端部には、外部機器と接続するインターフェースコネクタ２１を備えると共に、そのインターフェースコネクタ２１を取り付けた端部中央位置にマイクコネクタ１７を係合配置するように基板を四角形状に切欠いて形成されたマイクコネクタ係合部２２を設けた構成になっている。
【００２０】
このような構成において、下ケース１５にメインボード１２を組み込み、その上部からマイクコネクタ係合部２２に、マイク１６が装着してあるマイクコネクタ１７を装着し、その上部から上ケース１１を被せるようにして組立ては完成する。
【００２１】
マイクコネクタ１７は、図２、図３〜図６に示すように、熱可塑性ゴムで形成された上部開口であって有底円筒形状に形成された弾性ハウジング１７Ａに、円筒形状のマイク１６を収納できる大きさに形成されたマイク収納部２３と、外側外周の上部位置に外側方向に突出するように形成した一重のコネクタ支持襞部２４と、外側外周の下部端部から一方向に突出させて形成した二股形状の第１及び第２の端子保護部２５ａ、２５ｂとからなる。この第１及び第２の端子保護部２５ａ、２５ｂは、円筒形状のマイク収納部２３の中心位置から偏心した位置関係で一体成形されている。
【００２２】
このマイク収納部２４の底部には、マイク１６及び外部の接点と電気的に接続するコンタクトを埋設した構造になっており、このコンタクトは、マイク収納部２３の中央位置に上部に突出して形成した第１の接点２６ａと、この第１の接点２６ａから外れた円周位置に設けた第２の接点２６ｂと、第１の接点２６ａに連設し、第１及び第２の端子保護部２５ａ、２５ｂに囲まれた位置に突出して長方平板形状に形成した第１の接続端子２７ａと、第２の接点２６ｂに連設し、第１及び第２の端子保護部２５ａ、２５ｂに囲まれた位置であって第１の接続端子２７ａに平行に突出し、且つ第１の接続端子２７ａと同一形状の長方平板形状に形成した第２の接続端子２７ｂとからなる。
この第１及び第２の接点２６ａ、２６ｂがマイク１６（図８参照：第１及び第２のコンタクト）に接続し、第１及び第２の接続端子２７ａ、２７ｂがメインボード１２上に設けた接点と接続する構成になっている。
【００２３】
マイク１６は、図７〜図９に示すように、円筒形状に形成され、外周部２８下端部から陥没した底部の中央位置に円形状の第１のコンタクト２９ａ、この第１のコンタクト２９ａから電気的に絶縁する絶縁体３０を設けた外周に円周帯状に形成した第２のコンタクト２９ｂを備えた構成になっている。また、マイク１６の頂部には音声を入力する孔３１を複数個備えた音声入力部材３２を装着した構成になっており、その内部に図示しない音声を電気信号に変換する部材が組み込んでいる。
【００２４】
インターフェースコネクタ２１は、図１０〜図１３に示すように、メインボード１２の端部に取り付けられるものであり、細長の直方体形状に形成されたコネクタハウジング３３であって、このコネクタハウジング３３の両端部寄りに充電するための第１及び第２の充電端子３４ａ、３４ｂ、この第１及び第２の充電端子３４ａ、３４ｂの内側に外部機器と接続したときに同期等を行う第１及び第２のスイッチプラグ３５ａ、３５ｂ、略中央位置に信号を交信する２段形状に形成した信号端子３６とを備えた構成になっている。
この第１及び第２の充電端子３４ａ、３４ｂは、ハウジング内部を連通してコネクタハウジング３３の頂部に突出した第１及び第２の充電端子接続部３７ａ、３７ｂに連設されている。
【００２５】
又、コネクタハウジング３３の頂部にはメインボード１２にガイド係合するガイド突部３８ａ、３８ｂと、両側端部から外側方向に突き出て形成され、ケースに係止する孔を備えた係合部３９ａ、３９ｂを設けた構造になっている。
【００２６】
メインボード１２には、図１及び図２に示すように、インターフェースコネクタ２１を取り付ける端部の中央位置をマイクコネクタ１７が収納できる大きさに基板を切欠いて形成したマイクコネクタ係合部２２と、このマイクコネクタ係合部２２の奥方向であって、マイクコネクタ１７の第１及び第２の接続端子２７ａ、２７ｂと電気的に接続する第１及び第２のマイクコネクタ接点４０ａ、４０ｂを設けた構造になっている。
【００２７】
このような構造のインターフェースコネクタ２１をメインボード１２に取り付けるためには、図１２に示すように、インターフェースコネクタ２１のガイド突部３８ａ、３８ｂをメインボード１２のガイド穴に入れて位置決めをした状態で、第１及び第２の同軸レセプタクル３５ａ、３５ｂに連設している２個のアース端子４１、コモン端子４２、スイッチ端子４３をメインボード１２上で半田付けし、信号端子３６と連設している信号接点４４を半田付けし、第１及び第２の充電端子３４ａ、３４ｂと連設してなる第１及び第２の充電端子接続部３７ａ、３７ｂを半田付けして組立ては完了する。
【００２８】
このようにしてメインボード１２に組み立てられたインターフェースコネクタ２１には、図１３に示すように、メインボード１２の基板を切欠いたマイクコネクタ係合部２２に、マイクコネクタ１７を収納配置することができる。マイクコネクタ１７を収納配置するためには、先ず、マイクコネクタ１７の第１及び第２の端子保護部２５ａ、２５ｂ並びに第１及び第２の接続端子２７ａ、２７ｂをメインボード１２の奥方向に向かせ、第１のマイクコネクタ接点４０ａに第１の接続端子２７ａが対向し、第２のマイクコネクタ接点４０ｂに第２の接続端子２７ｂが対向するようにして、マイクコネクタ１７をマイクコネクタ係合部２２に収納する。
このように、基板を切欠いた位置にマイクコネクタ１７を載せるようにした構造にすると、マイクコネクタ１７で必要とする高さ方向の寸法を低くすることができると共に、基板を切欠いた分だけ重量を少なくすることができるというメリットがあり、又、切欠いた位置はマイクコネクタ１７の位置決めもできるため、従来の如く上ケースにマイクコネクタ１７をガイド係合する部材を作成する必要がなくなり、携帯電話機自体の薄型化及び軽量化を図ることができるのである。
【００２９】
次に、マイクコネクタ係合部２２に収納されたマイクコネクタ１７に対して、上ケース１１を被せて携帯電話機が完成するわけであるが、上ケース１１を被せるときに、その被せる力を利用してマイクコネクタ１７の第１及び第２の接続端子２７ａ、２７ｂを第１及び第２マイクコネクタ接点４０ａ、４０ｂに押圧をかけて電気的に接続する。それは、図１４及び図１５に示すように、下ケース１５にメインボード１２を載せ、そのメインボード１２のマイクコネクタ係合部２２にマイク１６を搭載したマイクコネクタ１７を収納する。このとき、マイクコネクタ１７はマイクコネクタ係合部２２内において第１及び第２の接続端子２７ａ、２７ｂが下方向に下り曲がっているぶんだけ上方向に浮いた状態で係合している。この状態でマイクコネクタ１７の上部から上ケース１１を被せると、上ケース１１のマイクコネクタ押え部４４がマイクコネクタ１７自体を上方向から押圧することにより、第１及び第２の接続端子２７ａ、２７ｂに押圧が加わり、曲げてある先端が変形し、第１及び第２のマイクコネクタ接点４０ａ、４０ｂに押圧力を持って接触することになる。ここで、上ケース１１に設けてあるマイクコネクタ押え部４４は、従来の如く２割円筒形状に形成してもよく、又は単にボス形状でもよく、切欠き部位で位置決めされているマイクコネクタ１７の上部から押圧できる構造であればよい。
【００３０】
【発明の効果】
以上、説明したように、本発明に係る携帯電話機は、搭載するマイクコネクタが、マイクと直接接続する接点と、この接点に連設してなる外部に接続する端子を略直線形状にしたことによりマイクコネクタ本体の高さ寸法を低くすることができると共に、このマイクコネクタを基板を切欠いた位置に係合配置させるようにしたことにより、メインボードの切欠いた基板厚み分だけ更に高さを低くすることができ、そのぶん携帯電話機の厚みを薄くすると共に、基板を切欠いたぶんの重量を少なくできるため、軽量化を図ることができるという効果がある。
【図面の簡単な説明】
【図１】本発明に係る携帯電話機の概略をした全体分解斜視図である。
【図２】同要部を拡大して示した斜視図である。
【図３】同マイクコネクタの平面図である。
【図４】同マイクコネクタの側面図である。
【図５】同マイクコネクタの背面図である。
【図６】同マイクコネクタの側面図及び要部を拡大して示した側面図である。
【図７】同マイクの平面図でる。
【図８】同マイクの背面図である。
【図９】同マイクの断面図である。
【図１０】同インターフェースコネクタの正面図である。
【図１１】同インターフェースコネクタの平面図である。
【図１２】同インターフェースとメインボードとの関係を示した平面図である。
【図１３】同インターフェースコネクタ、マイクコネクタ、メインボードの関係を示した平面図である。
【図１４】同図５におけるマイクコネクタにマイクを装着したときのＡ−Ａ線断面図である。
【図１５】同図５におけるマイクコネクタにマイクを装着したときのＢ−Ｂ線断面図である。
【図１６】従来技術における携帯電話機を分解して示した略示的な全体斜視図である。
【図１７】従来技術における携帯電話機の要部を拡大して分解して示した略示的な斜視図である。
【図１８】従来技術におけるマイクコネクタの側面図である。
【図１９】従来技術におけるマイクコネクタの平面図である。
【図２０】従来技術におけるマイクコネクタの背面図である。
【図２１】従来技術におけるマイクコネクタの側面図及び要部を拡大して示した側面図である。
【図２２】従来技術におけるマイクコネクタとメインボードとの関係を示した断面図である。
【図２３】従来技術におけるマイクコネクタ、マイク、メインボードとの関係を示した断面図である。
【符号の説明】
１１；上ケース、１２；メインボード、１３；バッテリー部、１４；液晶表示部、１５；下ケース、１６；マイク、１７；マイクコネクタ、１８；ホール、１９；音声入力部、２０；操作部、２０Ａ；表示パネル、２１；インターフェースコネクタ、２２；マイクコネクタ、２３；マイク収納部、２４；コネクタ支持襞部、２５ａ；第１の端子保護部、２５ｂ；第２の端子保護部、２６ａ；第１の接点、２６ｂ；第２の接点、２７ａ；第１の接続端子、２７ｂ；第２の接続端子、２８；外周部、２９ａ；第１のコンタクト、２９ｂ；第２のコンタクト、３０；絶縁体、３１；孔、３２；音声入力部材、３３；コネクタハウジング、３４ａ；第１の充電端子、３４ｂ；第２の充電端子、３５ａ；第１の同軸レセプタクル、３５ｂ；第２の同軸レセプタクル、３６；信号端子、３７ａ；第１の充電端子接続部、３７ｂ；第２の充電端子接続部、３８ａ；ガイド突部、３８ｂ；ガイド突部、３９ａ；係合部、３９ｂ；係合部、４０ａ；第１のマイクコネクタ接点、４０ｂ；第２のマイクコネクタ接点、４１；アース端子、４２；コモン端子、４３；スイッチ端子、４４；マイクコネクタ押え部。
【図１】
2004032081.tif 000003
【図２】
2004032081.tif 000004
【図３】
2004032081.tif 000005
【図４】
2004032081.tif 000006
【図５】
2004032081.tif 000007
【図６】
2004032081.tif 000008
【図７】
2004032081.tif 000009
【図８】
2004032081.tif 000010
【図９】
2004032081.tif 000011
【図１０】
2004032081.tif 000012
【図１１】
2004032081.tif 000013
【図１２】
2004032081.tif 000014
【図１３】
2004032081.tif 000015
【図１４】
2004032081.tif 000016
【図１５】
2004032081.tif 000017
【図１６】
2004032081.tif 000018
【図１７】
2004032081.tif 000019
【図１８】
2004032081.tif 000020
【図１９】
2004032081.tif 000021
【図２０】
2004032081.tif 000022
【図２１】
2004032081.tif 000023
【図２２】
2004032081.tif 000024
【図２３】
2004032081.tif 000025